(57)【要約】【課題】火災受信機からメモリカードを脱却しているときに、火災受信機が監視状態を維持することができ、しかも、火災受信機が稼動している途中でも、上記メモリカードを安全に脱却することができる火災受信機を提供することを目的とするものである。【解決手段】所定情報を格納しているメモリカードから上記所定情報を読み取り、または、上記メモリカードに所定情報を書き込む火災受信機において、上記メモリカードを上記火災受信機に装着するときに使用するスロットと、上記火災受信機に対する上記メモリカードの着脱状態を入力する入力手段と、火災受信機の電源をＯＮしたままで、上記入力手段の状態に応じて、上記メモリカードに対する書込動作、読取動作のうちの少なくとも一方の動作を停止する制御手段とを有する火災受信機である。【選択図】図３
2007286716.tif 000002
【特許請求の範囲】
【請求項１】
所定情報を格納しているメモリカードから上記所定情報を読み取り、または、上記メモリカードに所定情報を書き込む火災受信機において、
上記メモリカードを上記火災受信機に装着するときに使用するスロットと；
上記火災受信機に対する上記メモリカードの着脱状態を入力する入力手段と；
火災受信機の電源をＯＮしたままで、上記入力手段の状態に応じて、上記メモリカードに対する書込動作、読取動作のうちの少なくとも一方の動作を停止する制御手段と；
を有することを特徴とする火災受信機。
【請求項２】
請求項１において、
上記入力手段は、ディップスイッチ、または盤面入力手段であることを特徴とする火災受信機。
【請求項３】
請求項１において、
上記メモリカードは、データベースのデータ、受信中の履歴リスト、所定部品の交換予測年月日、所定機器の交換予測年月日のうちの少なくとも１つを格納するメモリであることを特徴とする火災受信機。
【請求項４】
請求項１において、
上記メモリカードが上記火災受信機に装着されているときに、上記メモリカードに格納されている所定情報を、ＲＡＭに格納することを特徴とする火災受信機。
【発明の詳細な説明】
【技術分野】
【０００１】
本発明は、火災受信機に関する。
【背景技術】
【０００２】
従来、防災受信機の内部に、記憶部が設けられ、この記憶部には、データベースやイベント情報（履歴リスト）等が格納され、この記憶部としてメモリカード等が用いられている装置が知られている（たとえば、特許文献１参照）。
【特許文献１】特開２００５−０３２０２５公報
【発明の開示】
【発明が解決しようとする課題】
【０００３】
上記従来例において、火災受信機の電源をＯＦＦした後に、上記メモリカードを着脱するようにしている。
【０００４】
図５は、従来の火災受信機において、メモリカードを着脱する動作を示すフローチャートである。
【０００５】
Ｓ２１で、火災受信機を監視状態にする。メモリカードを取り外すには、Ｓ２２で、火災受信機の電源をＯＦＦし、Ｓ２３で、メモリカードを取り外す。そして、Ｓ２４で、書き換え装置（パソコン等）を用いて、取り外したメモリカードに、データを追加、変更する。このデータの追加、変更が終わると、Ｓ２５で、メモリカードを、火災受信機に取り付け、Ｓ２６で、火災受信機の電源をＯＮし、これによって、火災受信機が監視状態に戻る（Ｓ２７）。
【０００６】
上記操作において、火災受信機の電源をＯＦＦし（Ｓ２２）てから、電源をＯＮする（Ｓ２６）間、火災受信機が火災未監視状態になる。
【０００７】
このように、メモリカードの着脱に際して火災受信機の電源をＯＦＦするようにしているのは、火災受信機がＯＮ状態を継続していると、メモリカードにおいてデータを読み書きしている可能性があり、カードのデータを読み書きしている途中で、メモリカードを着脱すると、データが壊れ、このデータ破壊を防止するためである。
【０００８】
しかし、メモリカードを着脱するときに、火災受信機の電源をＯＦＦすると、設備の監視制御を停止し、いわゆる未監視状態になる。
【０００９】
また、メモリカード内に履歴リスト等のデータを保存している場合、この保存されているデータを取り出すためには、メモリカードを、一旦、取り外す必要があり、この場合も、メモリカードを取り外している間は、火災受信機の電源をＯＦＦする。
【００１０】
したがって、上記従来例では、メモリカードを着脱する度に火災受信機の電源をＯＦＦするので、設備の監視制御が停止され、いわゆる未監視状態が多くなるという問題がある。
【００１１】
本発明は、火災受信機からメモリカードを脱却しているときに、火災受信機が監視状態を維持することができ、しかも、火災受信機が稼動している途中でも、上記メモリカードを安全に脱却することができる火災受信機を提供することを目的とするものである。
【課題を解決するための手段】
【００１２】
本発明は、所定情報を格納しているメモリカードから上記所定情報を読み取り、または、上記メモリカードに所定情報を書き込む火災受信機において、上記メモリカードを上記火災受信機に装着するときに使用するスロットと、上記火災受信機に対する上記メモリカードの着脱状態を入力する入力手段と、火災受信機の電源をＯＮしたままで、上記入力手段の状態に応じて、上記メモリカードに対する書込動作、読取動作のうちの少なくとも一方の動作を停止する制御手段とを有する火災受信機である。
【発明の効果】
【００１３】
本発明によれば、火災受信機からメモリカードを脱却するときに、火災受信機が監視状態を維持することができ、しかも、火災受信機が稼動している途中でも、上記メモリカードを安全に脱却することができるという効果を奏する。
【発明を実施するための最良の形態】
【００１４】
発明を実施するための最良の形態は、以下の実施例である。
【実施例１】
【００１５】
図１は、本発明の実施例１である火災受信機ＲＥ１を含む火災報知設備ＦＡ１のシステム構成を示すブロック図である。
【００１６】
火災報知設備ＦＡ１は、端末として、差動式スポット型感知器ＳＥ１と、光電式スポット型感知器ＳＥ２と、熱アナログ感知器ＳＥ３と、光電式アナログ感知器ＳＥ４と、アドレッサブル発信機ＳＥ５と、ショートサーキットアイソレータＳＣＩと、防排煙制御用中継器Ｃ１と、火災監視用中継器Ｃ２、Ｃ３、Ｃ８と、地区音響制御用中継器Ｃ４と、ガス漏れ検知用中継器Ｃ５と、防排煙制御用中継器Ｃ６と、中継器Ｃ７とを有する。これらは、伝送線（１系統）を介して、火災受信機ＲＥ１に接続されている。
【００１７】
また、火災報知設備ＦＡ１は、メッセージ表示機Ｄ１、Ｄ２、〜、Ｄ３１と、ディスプレイシステムＤＰ１、および各中継器に接続される機器として、一般型感知器ＳＥ６、ＳＥ７、ＳＥ８と、ガス漏れ検知器ＳＥ９と、Ｐ型発信機Ｇ１、Ｇ２と、地区ベルＢＬと、防排煙機器（設備）ＤＳ１、ＤＳ２とを有する。
【００１８】
図２は、火災受信機ＲＥ１を示すブロック図である。
【００１９】
火災受信機ＲＥ１は、ＰＳＵ基板１０と、プリンタＰＲ１と、ＯＰＯ基板Ｂ１と、ＯＰＩＮ基板Ｂ２と、ＯＰＰＳ基板Ｂ３、Ｂ４と、ＮＩＵ基板（ホスト接続用基板）Ｂ５と、ＭＣＵ基板２０と、スピーカＳＰ１と、インバータＩＮＶ１と、タッチパネルＴＰとして作用するＬＣＤ３０と、電話ジャックＪ１と、ＣＴＵ基板（伝送基板）Ｂ６〜Ｂｎと、ＡＣ／ＤＣ電源ＡＣ／ＤＣと、予備電源ＢＴとを有する。
【００２０】
ＰＳＵ基板１０は、ＡＣ／ＤＣ電源ＡＣ／ＤＣとしてのＡＣ／ＤＣコンバータによってＡＣ１００Ｖから生成された直流電圧、ＤＣ２４Ｖを各基板１０、２０、Ｂ３〜Ｂｎに電源供給する基板であり、また、ＯＰＯ基板Ｂ１、ＯＰＩＮ基板Ｂ２に対して、移報を制御する基板である。
【００２１】
ＯＰＯ基板Ｂ１は、出力用基板である。ＯＰＩＮ基板Ｂ２は、入力用基板である。ＯＰＰＳ基板Ｂ３、Ｂ４は、端末の電源供給用基板であり、中継器Ｃ１〜Ｃ８の２次側に接続された端末（たとえば地区ベルＢＬ）に電源を供給する基板である。ＮＩＵ基板Ｂ５は、ホスト接続用基板であり、ホスト伝送線を介して、ディスプレイシステムＤＰ１と接続される基板である。
【００２２】
ＭＣＵ基板２０は、主制御ユニットの基板であり、表示部・メイン処理用の基板であり、メモリカードＭＣ１が挿入、接続され、ディップスイッチＳＷ１と、スロットＳＬ１とが設けられている。
【００２３】
ディップスイッチＳＷ１は、入力手段の一例であり、火災受信機ＲＥ１に対するメモリカードＭＣ１の着脱状態を示すスイッチである。なお、ディップスイッチＳＷ１のＯＮは、メモリカードＭＣ１が火災受信機ＲＥ１から脱却されていることを示す。逆に、ディップスイッチＳＷ１のＯＦＦは、メモリカードＭＣ１が火災受信機ＲＥ１に装着されていることを示す。
【００２４】
スロットＳＬ１は、メモリカードＭＣ１を着脱するスロットである。
【００２５】
メモリカードＭＣ１は、データベースまたは履歴リストとしてのイベント情報を格納するメモリカードであり、たとえば、コンパクトフラッシュ（登録商標）カードで構成されている。
【００２６】
つまり、ＭＣＵ基板２０は、火災受信機の電源をＯＮしたままで、入力手段の状態に応じて、メモリカードに対する書込動作、読取動作のうちの少なくとも一方の動作を停止する制御手段の例である。なお、上記入力手段は、火災受信機に対するメモリカードの着脱状態を入力する手段である。
【００２７】
インバータＩＮＶ１は、ＬＣＤ３０のバックライトを駆動する電源を制御するものである。ＣＴＵ基板Ｂ６〜Ｂｎは、端末と接続する伝送基板であり、２系統分の伝送線を制御する。
【００２８】
次に、実施例１の動作について説明する。
【００２９】
図３は、実施例１の動作を示すフローチャートである。
【００３０】
Ｓ１では、火災受信機ＲＥ１が監視状態である。ここで、火災受信機ＲＥ１から、メモリカードＭＣ１を取り出すには、Ｓ２で、操作者が、火災受信機ＲＥ１に設けられているＭＣＵ基板２０内のディップスイッチＳＷ１をＯＮする。
【００３１】
すると、Ｓ３で、火災受信機ＲＥ１は、火災受信機ＲＥ１からメモリカードＭＣ１が脱却されたことを、画面（ＬＣＤ３０）上に表示する。この後に、Ｓ４で、操作者が、火災受信機ＲＥ１から、メモリカードＭＣ１を取り外す。
【００３２】
Ｓ５で、操作者が、パソコン等の書き換え装置（図示せず）を用い、取り外したメモリカードＭＣ１に、データベースのデータを追加、または変更する。なお、メモリカードＭＣ１から、イベント情報等を取り出す場合もある。その後、Ｓ６で、操作者が、メモリカードＭＣ１を、火災受信機ＲＥ１のスロットＳＬ１に装着する。
【００３３】
そして、操作者が、Ｓ７で、火災受信機ＲＥ１内のディップスイッチＳＷ１をＯＦＦする。するとＳ８で、火災受信機ＲＥ１は、メモリカードＭＣ１が脱却されていることを示す表示を、画面（ＬＣＤ３０）上から消去する。また、Ｓ９で、火災受信機ＲＥ１は、メモリカードＭＣ１に記憶されている追加または変更されたデータベースのデータを読み込んで、ＭＣＵ基板２０のＲＡＭ（不図示）に書き込むことによって、対応するデータベースの追加、または変更を行い、また、ＲＡＭ（不図示）に記憶されている、メモリカードＭＣ１未装着（脱却）間に発生したイベント情報等のデータを、メモリカードＭＣ１に書き込む。Ｓ１０で、火災受信機ＲＥ１は、引き続いて、監視状態を継続する。
【００３４】
メモリカードＭＣ１は、読み書き可能なメモリであるが、メモリカードＭＣ１の代わりに、読取専用のメモリ（ＲＯＭ）を使用するようにしてもよい。
【００３５】
また、通常動作の中で、ＭＣＵ基板２０（制御部）が、必要に応じてメモリカードＭＣ１にアクセスする。
【００３６】
つまり、上記実施例において、メモリカードＭＣ１を外すときに、ディップスイッチＳＷ１を手動で操作し、ＭＣＵ基板２０によるメモリカードＭＣ１へのアクセスを停止させ、火災受信機ＲＥ１からメモリカードＭＣ１が脱却されていることが、ＬＣＤ３０に表示されていることを確認し、スロットＳＬ１からメモリカードＭＣ１を外す。一方、メモリカードＭＣ１を火災受信機ＲＥ１に装着するときには、スロットＳＬ１にメモリカードＭＣ１を差し込み、ディップスイッチＳＷ１を復帰させる。ＭＣＵ基板２０は、メモリカードＭＣ１が火災受信機ＲＥ１に装着されていることを認識し、「メモリカードＭＣ１の脱却」の表示を、ＬＣＤ３０から消去し、必要に応じて、メモリカードＭＣ１にアクセスする。
【００３７】
なお、メモリカードＭＣ１にデータベースを格納している場合、ＭＣＵ基板２０は、ディップスイッチＳＷ１に基づくメモリカードＭＣ１の装着を認識すると、メモリカードＭＣ１２格納されているデータベースを読み出し、内部メモリ（ＲＡＭ、図示せず）に書き込む。このようにして、データベースを更新し、通常動作としての監視制御を行う。
【００３８】
図４は、火災受信機ＲＥ１において、メモリカードＭＣ１の着脱を監視する動作を示すフローチャートである。
【００３９】
Ｓ１１で、ディップスイッチＳＷ１がＯＮであるかＯＦＦであるかの監視を開始する。Ｓ１２で、ディップスイッチＳＷ１がＯＦＦであると判断されれば、Ｓ１３で、平常監視状態を維持し、Ｓ１４で、ディップスイッチＳＷ１がＯＮ→ＯＦＦに切り替ったのであれば、メモリカードＭＣ１が装着されているので、メモリカードＭＣ１から、設定（データベース）の追加、変更データを読み込んでＲＡＭ（不図示）に書き込み、Ｓ１５で、メモリカードＭＣ１が未装着である間に、ＲＡＭ（不図示）に記憶された、発生したイベント情報等のデータを書き込む。
【００４０】
一方、Ｓ１２で、ディップスイッチＳＷ１がＯＮであると判断されれば、Ｓ１６で、メモリカードＭＣ１の脱却をＬＣＤ３０に表示してアクセス（読み書き）を停止し、スピーカＳＰ１から異常音響を鳴動する。
【００４１】
メモリカードＭＣ１は、データベースのデータ、受信中の履歴リストの他、たとえば、所定部品の交換予測年月日、所定機器の交換予測年月日のうちの少なくとも１つを格納するメモリである。
【００４２】
上記実施例によれば、火災報知設備ＦＡ１内に設けられているディップスイッチＳＷ１をＯＮすることによって、火災受信機ＲＥ１の電源をＯＦＦすることなく、メモリカードＭＣ１を取り外すことができる。
【００４３】
また、上記実施例によれば、メモリカードＭＣ１内のデータベース等の設定を変更した後に、火災受信機ＲＥ１にメモリカードＭＣ１を取り付け、ディップスイッチＳＷ１をＯＦＦしたときに、メモリカードＭＣ１内の設定を読み込んでＲＡＭ（不図示）に書き込む動作を、自動的に実行する。これによって、メモリカードＭＣ１を取り外し、データを追加、変更している間も、火災受信機ＲＥ１は、火災監視状態であるので、安全性が高い。
【００４４】
なお、上記実施例において、ディップスイッチＳＷ１のＯＮは、メモリカードＭＣ１が火災受信機ＲＥ１から脱却されていることを示し、ディップスイッチＳＷ１のＯＦＦは、メモリカードＭＣ１が火災受信機ＲＥ１に装着されていることを示すが、これと逆にするようにしてもよい。つまり、ディップスイッチＳＷ１のＯＮは、メモリカードＭＣ１が火災受信機ＲＥ１に装着されていることを示し、ディップスイッチＳＷ１のＯＦＦは、メモリカードＭＣ１が火災受信機ＲＥ１から脱却されていることを示すようにしてもよい。
【００４５】
また、上記実施例におけるディップスイッチＳＷ１の代わりに、メモリカードＭＣ１の着脱状態を示す盤面指示手段、たとえば、ＬＣＤ３０のタッチパネルＴＰを盤面に設け、ＭＣＵ基板２０が、上記盤面指示手段による指示に応じて、火災受信機ＲＥ１の電源をＯＮしたままで、メモリカードＭＣ１に対する書込動作、読取動作のうちの少なくとも一方の動作を停止するようにしてもよい。
【００４６】
つまり、ディップスイッチ、盤面指示手段は、火災受信機ＲＥ１に対するメモリカードＭＣ１の着脱状態を入力する入力手段の例である。
【図面の簡単な説明】
【００４７】
【図１】本発明の実施例１である火災受信機ＲＥ１を含む火災報知設備ＦＡ１のシステム構成を示すブロック図である。
【図２】火災受信機ＲＥ１を示すブロック図である。
【図３】実施例１の動作を示すフローチャートである。
【図４】火災受信機ＲＥ１において、メモリカードＭＣ１の着脱を監視する動作を示す図である。
【図５】従来の火災受信機において、メモリカードを着脱する動作を示すフローチャートである。
【符号の説明】
【００４８】
ＦＡ１…火災報知設備、
ＲＥ１…火災受信機、
２０…ＭＣＵ基板、
ＳＷ１…ディップスイッチ、
ＳＬ１…スロット、
ＭＣ１…メモリカード、
３０…ＬＣＤ。
【図１】
2007286716.tif 000003
【図２】
2007286716.tif 000004
【図３】
2007286716.tif 000005
【図４】
2007286716.tif 000006
【図５】
2007286716.tif 000007